(57)【要約】      （修正有）【課題】物品の厚み変化に対応して不用意なる移動を規制した状態で当該物品を梱包することのできる梱包材を提供する。【解決手段】ＣＤ等のパッケージＰを物品として収容するケース本体１１と、当該ケース本体１１を閉塞する蓋体１２とにより梱包材１０が構成されている。ケース本体１１は、底面部１５と、当該底面部１５の外周に連なる複数のフラップ１６とを備える。蓋体１２は、一つのフラップに連設して一体型とすることができる他、別体として設けることができる。パッケージＰを梱包したときは、フラップ１６の自由端が基部の位置に対してパッケージＰ側に傾斜してパッケージＰの厚みに対応する。蓋体１２とケース本体１１とは、シュリンクフイルムＳによって封止されることで開放規制される。【選択図】図４
2008056245.tif 000002
【特許請求の範囲】
【請求項１】
所定の物品を収容するケース本体と、当該ケース本体を閉塞する蓋体とを備えた梱包材において、
前記ケース本体は、前記物品の平面サイズよりも大きい底面部と、当該底面部の外周に折り曲げ可能に連設されて前記物品の外周側に位置する複数のフラップとを含み、
前記蓋体で前記ケース本体を閉塞したときに、前記フラップが前記物品側に傾斜し、前記物品の厚みに対応して変位するとともに、前記底面部と蓋体とが前記物品を挟み込んで梱包することを特徴とする梱包材。
【請求項２】
前記フラップは、前記物品の外縁に接する傾斜角度に保たれることを特徴とする請求項１記載の梱包材。
【請求項３】
前記フラップは、前記物品の厚みよりも大きい高さに設けられていることを特徴とする請求項１又は２記載の梱包材。
【請求項４】
前記底面部は平面視多角形状に設けられ、当該底面部の各辺に前記フラップが連設されている一方、一つの辺に前記蓋体が連設されていることを特徴とする請求項１，２又は３記載の梱包材。
【請求項５】
前記蓋体は前記ケース本体と別体に設けられ、前記フラップは、前記底面部の全周に連設されていることを特徴とする請求項１，２又は３記載の梱包材。
【請求項６】
前記複数のフラップのうち、一部のフラップは長手方向両端部に切欠部が形成され、隣り合うフラップが傾斜可能に設けられていることを特徴とする請求項１ないし５の何れかに記載の梱包材。
【請求項７】
前記蓋体及び／又はフラップは延長片を含み、当該延長片が蓋体の内面側に折り込まれた状態で前記ケース本体を閉塞したときに、前記物品を下方に押圧することを特徴とする請求項１ないし６の何れかに記載の梱包材。
【請求項８】
前記ケース本体に蓋体を被せた状態で固定的に保つ封止部材を更に含むことを特徴とする請求項１ないし７の何れかに記載の梱包材。
【請求項９】
前記封止部材は、前記ケース本体及び蓋体を覆ってシュリンクされるシュリンクフイルムであることを特徴とする請求項８記載の梱包材。
【請求項１０】
前記封止部材は、蓋体とケース本体とを貼着する接着テープであることを特徴とする請求項７記載の梱包材。
【発明の詳細な説明】
【技術分野】
【０００１】
本発明は梱包材に係り、特に、ＣＤ、ＤＶＤ、書籍等をパッケージに収容してなる扁平若しくは板状の物品を梱包することに適した梱包材に関する。
【背景技術】
【０００２】
ＣＤやＤＶＤ、書籍等の商品群は、店頭にて購入する消費形態が一般的であるが、インターネット等の普及に伴うオンラインショッピングの他、テレビショッピング等、通信販売が飛躍的に普及するに至っている。この販売形態によれば、消費者への商品引き渡しは宅配によるものとなり、当該宅配の便宜上、所定の梱包材によって商品（物品）を梱包する必要がある。
【０００３】
このような物品に適合した梱包としては、箱体に物品を収容し、当該箱体の外周にフイルムを被せてシュリンクし、これにより、箱体を封入する形態が知られている。（例えば、特許文献１参照）。
【０００４】
【特許文献１】特開２００４−１４２７６１号公報
【発明の開示】
【発明が解決しようとする課題】
【０００５】
しかしながら、特許文献１に示された梱包材にあっては、物品を収容した箱体にフイルムを被せてシュリンクさせる構成を開示するのみであり、物品との関係における箱体の構造については何ら言及されていない。
【０００６】
ところで、ＣＤやＤＶＤ、書籍等を収容したパッケージを物品として宅配する場合には、箱状の梱包材を用いて内部の商品が見えないようにする必要がある。この場合の梱包材としては、前記物品を収容する所定形状のダンボールケースを使用する場合が多い。
しかしながら、このような所定形状のケースを用いる場合、宅配される物品の厚みが異なることを考慮して高さが大きめに設定されている。これにより、物品がケース内で暴れて破損したり、損傷したりすることがないように緩衝材を入れなければならなくなり、このため、緩衝材を入れる人の人件費や、緩衝材自体のコストが余分にかかってしまうという不都合がある。更に、ケースが大きめに設定されていると、配達先のポストに投函することができないため、配達者に領収印をもらうよう要請しなければならないという別の不都合もある。
【０００７】
［発明の目的］
本発明は、このような不都合に着目して案出されたものであり、その目的は、厚みが異なる物品であったとしても、内部の商品が見えないようにコンパクトに梱包ができるとともに、緩衝材を用いることなく収容された物品が搬送途中で暴れて傷付くことを防止することができる梱包材を提供することにある。
【０００８】
また、本発明の他の目的は、単数の物品の梱包に適合する他、複数の物品を重ねて梱包することにも対応可能な汎用性を付与した梱包材を提供することにある。
【課題を解決するための手段】
【０００９】
前記目的を達成するため、本発明は、所定の物品を収容するケース本体と、当該ケース本体を閉塞する蓋体とを備えた梱包材において、
前記ケース本体は、前記物品の平面サイズよりも大きい底面部と、当該底面部の外周に折り曲げ可能に連設されて前記物品の外周側に位置する複数のフラップとを含み、
前記蓋体で前記ケース本体を閉塞したときに、前記フラップが前記物品側に傾斜し、前記物品の厚みに対応して変位するとともに、前記底面部と蓋体とが前記物品を挟み込んで梱包する、という構成を採っている。
【００１０】
本発明において、前記フラップは、前記物品の外縁に接する傾斜角度に保たれるように構成されている。
【００１１】
また、前記フラップは、前記物品の厚みよりも大きい高さに設けられている。
【００１２】
更に、前記底面部は平面視多角形状に設けられ、当該底面部の各辺に前記フラップが連設されている一方、一つの辺に前記蓋体が連設される、という構成を採ることができる。
【００１３】
また、前記蓋体は前記ケース本体と別体に設けられ、前記フラップは、前記底面部の全周に連設される、という構成を採ってもよい。
【００１４】
更に、前記複数のフラップのうち、一部のフラップは長手方向両端部に切欠部が形成され、隣り合うフラップが傾斜可能に設けられている、という構成を採っている。
【００１５】
また、前記蓋体及び／又はフラップは延長片を含み、当該延長片が蓋体の内面側に折り込まれた状態で前記ケース本体を閉塞したときに、前記物品を下方に押圧するように構成することができる。
【００１６】
更に、前記ケース本体に蓋体を被せた状態で固定的に保つ封止部材を更に含む、という構成を採ることができる。
【００１７】
前記封止部材は、前記ケース本体及び蓋体を覆ってシュリンクされるシュリンクフイルムにより構成することができる。
【００１８】
また、前記封止部材は、蓋体とケース本体とを貼着する接着シートとしてもよい。
【発明の効果】
【００１９】
本発明によれば、物品を梱包したときに、フラップが物品側に傾斜し、物品の厚みに応じて変位することで、底面部と蓋体とで物品を挟み込むことが可能となり、当該物品が搬送途中で暴れて破損したり、損傷したりすることを効果的に防止することができる。また、フラップが物品の外縁に接触した状態で梱包することができるため、物品が横方向へ移動して破損したり、損傷したりすることを防止することができる。更に、フラップは、底面部に対する折り曲げ位置に対して、自由端側が物品側に傾斜した状態で蓋体によって押さえ込まれるため、フラップは開放する方向への移動が規制される。従って、フラップ同士を接着する必要性のない簡易な梱包材とすることができる。
また、物品がＣＤ等を収容したパッケージ製品である場合に、当該パッケージの外周面に表示されているタイトル等の隠蔽性を確保することができ、第三者に知得されるような不都合を回避でき、通信販売等に特に適合した梱包材として提供することが可能となる。
更に、フラップが物品の厚みよりも大きい高さに設けられる構成では、物品の厚みに対応して種々のフラップ高さを有する梱包材を用意する必要がなく、しかも、複数の物品を梱包する場合の適応性を付与することができる。
また、前記底面部に蓋体を連設した構成を採用することにより、段ボール等をプレス型で打ち抜くだけで成形することができ、梱包材の製作を容易に行うことができる。
更に、蓋体をケース本体と別体に設けた構成では、物品の厚みが変動しても、蓋体の平面形状を変える必要性がなく、同一の平面サイズとなる種々の物品梱包に適用することが可能となる。
また、蓋体やフラップに延長片を設けることで、物品と蓋体との間に隙間が生ずる場合であっても、延長片をスペーサとして機能させ、別途のクッション材等を充填する必要性を一掃することができる。
更に、シュリンク包装することによって、確実に梱包ができる。また、接着シートを貼着することで、蓋体の開放規制を簡易化することもできる。
【発明を実施するための最良の形態】
【００２０】
以下、本発明の実施の形態について図面を参照しながら説明する。
【００２１】
［第１実施形態］
図１には、第１実施形態に係る梱包材の使用状態における概略斜視図が示され、図２及び図３には、それぞれ図１のＡ−Ａ線及びＢ−Ｂ線矢視断面図が示されている。これらの図において、梱包材１０は、トレイ状に形成可能なケース本体１１と、このケース本体１１に連設されるとともに当該ケース本体１１の上部を閉塞可能な蓋体１２と、この蓋体１２とケース本体１１とを封止する封止部材、すなわちシュリンクフイルムＳとを備えて構成されている。本実施形態における梱包材１０は、ＣＤ（コンパクトディスク）を収容した一定の厚み（高さ）を有するパッケージＰを対象物品として梱包することのできる平面サイズ及び厚みに設けられている。なお、特に限定されるものではないが、本実施形態では、パッケージＰは、直交する二辺の長さが若干異なる略長方形状の平面サイズとされている。
【００２２】
前記ケース本体１１は、図４及び図５に示されるように、平面視略長方形状に設けられた底面部１５と、この底面部１５の外周に連設されたフラップ１６とにより構成されている。ここで、フラップ１６は、底面部１５との境界位置を折り曲げ線１７として立ち上がる方向に折り曲げることで、パッケージＰを受容可能なトレイを形成するようになっている。フラップ１６は、底面部１５の図５中上下方向両側に設けられた第１のフラップ１６Ａ、１６Ａと、同図中左右方向両側に設けられた第２のフラップ１６Ｂとにより構成されている。なお、折り曲げ線１７は、ケース本体１１を構成する段ボール等の素材に、プレス型で直線状の押し跡を設けることによって形成される。
【００２３】
前記底面部１５は、図５中二点鎖線で示されるように、パッケージＰの平面サイズよりも一回り大きい平面サイズに設けられている。これは、図２及び図３に示されるように、前記フラップ１６Ａ、１６Ｂを立ち上げる方向に折り曲げ、更に、フラップ１６Ａ、１６Ｂの各自由端が前記折り曲げ線１７よりもパッケージＰ側に位置して各フラップ１６Ａ、１６Ｂを内側に傾斜する角度まで折り曲げ可能とするためである。従って、この傾斜角度を維持して蓋体１２でケース本体１１を閉塞した状態で、前記シュリンクフイルムＳによって封止したときに、底面部１５と蓋体１２とでパッケージＰの上下方向への動きを規制し、各フラップ１６Ａ、１６Ｂの自由端がパッケージＰの外縁に接して当該パッケージＰの横方向への動きを規制し得るようになり、実質的にパッケージＰは梱包材１０の中での動きを完全に抑制されるようになる。本実施形態では、第１のフラップ１６Ａは、それらの長手方向両端部に切欠部１６ａがそれぞれ形成され、これら切欠部１６ａにより、第２のフラップ１６Ｂの傾斜を妨げることなく前記折り曲げが可能に設けられている。なお、フラップ１６Ａ、１６Ｂの高さ（短寸方向幅）は、パッケージＰの厚みよりも大きい高さに設定されている。そのため、高さの違うパッケージＰを梱包する場合にでも、フラップ１６Ａ、１６Ｂの傾斜角が変位することで対応することが可能となっている。
【００２４】
前記蓋体１２は、図５中右側に位置する第２のフラップ１６Ｂに連設されている。この蓋体１２は、前記底面部１５と略同一の平面積に設けられているとともに、折り曲げ線１９を介して第２のフラップ１６Ｂに対して折り曲げ可能に設けられている。なお、蓋体１２の自由端における両側は傾斜縁１２Ａとして形成されている。
【００２５】
次に、前記第１実施形態における梱包材１０による梱包要領について説明する。
【００２６】
図示しないマガジンに梱包材１０が展開した状態で多数積層され、一枚ずつベルトコンベヤ等を介して搬送される。そして、この搬送途中で、所定の供給装置を介してパッケージＰが前記底面部１５上に載置される。
【００２７】
次いで、適宜なアーム等を介して第１及び第２のフラップ１６Ａ、１６Ｂを前記折り曲げ線１７で屈曲させ、立ち上がる方向に折り曲げてトレイ状に形成され、保持される。この状態で、図示しない移載装置を介してパッケージＰがケース本体１１内に収容される。次いで、蓋体１２が折り曲げ線１９で折り曲げられ、蓋体１２の自由端側が第２のフラップ１６Ｂの上端に接する略水平姿勢となるように形成される。この際、第１及び第２のフラップ１６Ａ、１６Ｂは、それらの自由端が折り曲げ線１７の位置よりもパッケージＰ側に傾斜した状態に保たれてパッケージＰの外縁に当接することとなる（図２，図３参照）。
【００２８】
このようにしてパッケージＰが収容され、蓋体１２でケース本体１１を閉塞した状態で図示しないシュリンク包装機を介してシュリンクフイルムＳで封止されることにより、パッケージＰの梱包を終了することができる。なお、シュリンクフイルムＳに替えて、図１０に示されるように、接着テープＴによって蓋体１２とケース本体１１とを封止するようにしてもよいし、接着テープＴとシュリンクフイルムＳとを併用してもよい。
【００２９】
従って、このような実施形態によれば、梱包されたパッケージＰは、その外周がフラップ１６、ケース本体１１、蓋体１２によって完全に覆われた状態となり、パッケージＰの外周面における表示面を外部から見ることができないように保たれる。そのため、梱包対象となる物品の種別等が意図しない第三者に知得されるような不都合を回避でき、宅配商品等の梱包材として効果的に利用することが可能となる。
【００３０】
［第２実施形態］
次に、本発明の第２実施形態について、図６ないし図８を参照しながら説明する。なお、以下の説明において、前記第１実施形態と実質的に同一の部分については同一符号を用いるものとし、説明を省略若しくは簡略にする。
【００３１】
この第２実施例は、蓋体１２の自由端側に延長片２５を設け、当該延長片２５により、パッケージＰを下方に押圧するようにした点に特徴を有する。すなわち、図８に示されるように、蓋体１２の自由端側に延長片２５が設けられる一方、第２のフラップ１６Ｂの自由端中央部に、前記延長片２５の幅に略対応した凹部２６が設けられている。
【００３２】
前記延長片２５は、その基部に設けられた折り曲げ線２７に沿って折り曲げ可能に設けられており、図６、図７に示されるように、延長片２５が前記凹部２６を通るように蓋体１２の内面側に折り返しできるように構成されている。
【００３３】
このような実施形態によれば、前記延長片２５が、パッケージＰの上面側を押圧し得るため、パッケージＰと蓋体１２との間に隙間ｃが生じる場合でも、緩衝材の代わりとしてパッケージＰの上下方向の移動が規制することができる。
【００３４】
また、前記延長片２５は、蓋体１２に設けることに限定されることはなく、フラップ１６Ａ、１６Ｂの自由端側に設け、パッケージＰの上方に折り返すように構成してもよい。
【００３５】
［第３実施形態］
図９には、本発明の第３実施形態が示されている。この実施形態は、ケース本体１１と、蓋体１２とを別体とした点に特徴を有する。すなわち、ケース本体１１は、底面部１５と、当該底面部１５の外周各辺に連設されるとともに相互に略同一形状となるフラップ１６とを備えて構成されている。この一方、蓋体１２は、外周に相互に略同一形状となるカバーフラップ３０を備えて構成されている。蓋体１２は、カバーフラップ３０がケース本体１１の各フラップ１６の外面側をカバーするように被せられ、この状態で、シュリンクフイルムＳでカバーフラップ３０と底面部１５とを封止することで、パッケージＰの梱包が行えることとなる。
【００３６】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
【００３７】
例えば、前記フラップ１６の高さを更に高く設定するとともに、蓋体１２の基部側に別途の折り曲げ線を形成することもできる。このような構成とすれば、複数のパッケージＰを収容する場合にも対応することが可能となる。
【００３８】
また、前記実施形態では、平面視略方形の外形を有する梱包材としたが、本発明はこれに限定されるものではなく、その他の平面形状であってもよい。要するに、本発明は、厚みの異なるパッケージＰに対して、フラップが傾斜し、その厚みに対応して変位することによって梱包対象となる物品の移動を規制し、また、物品の内容を隠蔽できる構成であれば足りる。
【００３９】
更に、前記ケース本体に蓋体を被せて封止する手段としてシュリンクフイルムＳや接着テープＴを用いる場合を示したが、ケース本体と蓋体との間にホットメルト接着剤等を介在させることもできる。この場合には、蓋体の自由端側に適宜な舌片状部を連設しておき、これをケース本体の底面部に回し込んで接着することが例示できる。
【図面の簡単な説明】
【００４０】
【図１】第１実施形態に係る梱包材の使用状態における概略斜視図。
【図２】図１のＡ−Ａ線矢視拡大断面図。
【図３】図１のＢ−Ｂ線矢視拡大断面図。
【図４】パッケージを梱包する作用を説明する概略斜視図。
【図５】前記梱包材の展開図。
【図６】第２実施形態に係る梱包材の使用状態を示す断面図。
【図７】図６のＣ部拡大断面図。
【図８】第２実施形態の梱包材の展開図。
【図９】第３実施形態に係る梱包材の使用状態を示す断面図。
【図１０】変形例を示す概略斜視図。
【符号の説明】
【００４１】
１０  梱包材
１１  ケース本体
１２  蓋体
１５  底面部
１６  フラップ
１６Ａ  第１のフラップ
１６ａ  切欠部
１６Ｂ  第２のフラップ
１７，１８，１９  折り曲げ線
２５  延長片
Ｐ  パッケージ（物品）
Ｓ  シュリンクフイルム（封止部材）
Ｔ  接着テープ（封止部材）
【図１】
2008056245.tif 000003
【図２】
2008056245.tif 000004
【図３】
2008056245.tif 000005
【図４】
2008056245.tif 000006
【図５】
2008056245.tif 000007
【図６】
2008056245.tif 000008
【図７】
2008056245.tif 000009
【図８】
2008056245.tif 000010
【図９】
2008056245.tif 000011
【図１０】
2008056245.tif 000012